(57)【要約】【課題】ベースに対して電子装置を着脱するときの摩擦力を減らすとともに、電子装置を置いて強固に位置決めする電子装置搭載ベースを提供する。【解決手段】電子装置搭載ベースは、互いに対応した２つの側面を有する電子装置４を設置する。電子装置搭載ベースは、電子装置４を設置する収納溝１１を有するベース１と、収納溝１１の２つの側壁１２にそれぞれ設けられ、電子装置４の側面に転がり接触する２つの転動装置２とを備える。【選択図】図１
2011129853.tif 000002
【特許請求の範囲】
【請求項１】
互いに対応した２つの側面を有する電子装置を設置する電子装置搭載ベースであって、
前記電子装置を設置する収納溝を有するベースと、
前記収納溝の２つの側壁にそれぞれ設けられ、前記電子装置の側面に転がり接触する２つの転動装置と、を備えることを特徴とする電子装置搭載ベース。
【請求項２】
前記収納溝の前記２つの側壁には、前記収納溝に向かって挿入口が凹設され、
前記２つの転動装置は、弾性部材及び転動体をそれぞれ有し、
前記転動装置の前記弾性部材のそれぞれは、前記ベースに取り付けられ、前記側壁の前記挿入口へ延伸した枢着端を有し、
前記弾性部材のそれぞれは、前記収納溝に向かって付勢し、
前記転動装置の前記転動体は、前記枢着端に枢着され、前記側壁の前記挿入口に収納され、前記収納溝に向かってそれぞれ突出していることを特徴とする請求項１に記載の電子装置搭載ベース。
【請求項３】
前記収納溝には、前記対向した２つの側壁が前記収納溝に対して垂直に設けられていることを特徴とする請求項２に記載の電子装置搭載ベース。
【請求項４】
前記２つの転動装置の前記弾性部材の少なくとも１つは撓性杆であることを特徴とする請求項２に記載の電子装置搭載ベース。
【請求項５】
前記２つの転動装置の前記弾性部材の少なくとも１つはスプリングであることを特徴とする請求項２に記載の電子装置搭載ベース。
【請求項６】
前記２つの転動装置の前記弾性部材の少なくとも１つは弾片であることを特徴とする請求項２に記載の電子装置搭載ベース。
【請求項７】
前記転動装置の前記転動体は、断面の形状が円形であることを特徴とする請求項２に記載の電子装置搭載ベース。
【請求項８】
前記転動装置の前記転動体は、断面の形状が弧形であることを特徴とする請求項２に記載の電子装置搭載ベース。
【請求項９】
前記２つの転動装置の前記転動体の少なくとも１つはローラであることを特徴とする請求項２に記載の電子装置搭載ベース。
【請求項１０】
互いに対応した２つの側面を有する電子装置を設置する電子装置搭載ベースであって、
前記電子装置を設置する収納溝を有するベースと、
前記収納溝の２つの側壁にそれぞれ設けられ、前記電子装置の側面に転がり接触する２つの転動装置と、
制御用回路基板と、前記制御用回路基板と電気的に接続された電気コネクタと、を有する通信ユニットと、を備え、
前記制御用回路基板は、前記ベースの内部に配置され、
前記電気コネクタは、前記ベースに取り付けられ、前記収納溝から露出されていることを特徴とする電子装置搭載ベース。
【請求項１１】
前記収納溝の前記２つの側壁には、前記収納溝の方向に挿入口が凹設され、
前記２つの転動装置は、弾性部材及び転動体をそれぞれ有し、
前記転動装置の前記弾性部材のそれぞれは、前記ベースに取り付けられ、前記側壁の前記挿入口へ延伸した枢着端を有し、
前記弾性部材のそれぞれは、前記収納溝に向かって付勢し、
前記転動装置の前記転動体のそれぞれは、前記枢着端に枢着され、前記側壁それぞれの前記挿入口に収納され、前記収納溝に向かってそれぞれ突出していることを特徴とする請求項１０に記載の電子装置搭載ベース。
【請求項１２】
前記通信ユニットは、前記制御用回路基板と電気的に接続された少なくとも１つの電気スロットを有することを特徴とする請求項１０に記載の電子装置搭載ベース。
【請求項１３】
前記通信ユニットは、前記制御用回路基板と電気的に接続された少なくとも１つの支持ランプを有することを特徴とする請求項１０に記載の電子装置搭載ベース。
【発明の詳細な説明】
【技術分野】
【０００１】
本発明は、電子装置搭載ベースに関し、特に、ベースに対して電子装置を着脱するときの摩擦力を減らすとともに、電子装置を置いて強固に位置決めする電子装置搭載ベースに関する。
【背景技術】
【０００２】
従来、電子装置には、支持台に設置し充電又はデータ通信を行うことができるものがある。しかし、電子装置を着脱する際、支持台との間に摩擦が発生することがあった。特に、電子装置のカバーを覆う保護ゴムは摩擦が大きいため、電子装置をスムーズに着脱することが困難となる虞があるだけでなく、電子装置の周縁又は支持台に対応した部分が損傷する虞もあった。
【０００３】
従来、上述の摩擦発生を減らすための技術が開示されている（例えば、特許文献１〜３）。特許文献１が開示する技術では、支持台上にゴムパッドを備えた弾性構造が配置されている。電子装置を支持台に置くと、弾性構造のゴムパッドが接触により弾性変形し、変形により発生する弾力により電子装置を固定することができたが、摩擦を低減させることはできなかった。
【０００４】
特許文献２が開示する技術では、ステージ上にストッパを設置し、ステージ上で電池の移動範囲を拘束して固定することができるが、着脱する際の摩擦力が大きかった。
【０００５】
特許文献３が開示する技術では、筐体の左右両側に設置した挟持機構により携帯電話を挟持し、中間箇所に携帯電話を正確に位置決めすることができるが、着脱する際の摩擦力が非常に大きかった。
【先行技術文献】
【特許文献】
【０００６】
【特許文献１】台湾特許第５７１６０８号公報
【特許文献２】台湾実用新案登録第２６４７４２号公報
【特許文献３】台湾特許第５２５８６４号公報
【発明の概要】
【発明が解決しようとする課題】
【０００７】
本発明の第１の目的は、転動体の転動により、電子装置と点接触させることにより、電子装置とベースとの間の摩擦力を有効に減らし、電子装置の着脱をスムーズに行い、電子装置又はベースが損壊することを防ぐ電子装置搭載ベースを提供することにある。
【０００８】
本発明の第２の目的は、転動装置の弾性部材の弾性力を利用し、転動体により電子装置をしっかりと挟持し、収納溝の中に位置決めする電子装置搭載ベースを提供することにある。
【０００９】
本発明の第３の目的は、通信ユニットと電子装置との間でデータ通信を行う電子装置搭載ベースを提供することにある。
【課題を解決するための手段】
【００１０】
上記課題を解決するために、本発明の第１の形態によれば、互いに対応した２つの側面を有する電子装置を設置する電子装置搭載ベースであって、前記電子装置を設置する収納溝を有するベースと、前記収納溝の２つの側壁にそれぞれ設けられ、前記電子装置の側面に転がり接触する２つの転動装置と、を備えることを特徴とする電子装置搭載ベースが提供される。
【００１１】
また、前記収納溝の前記２つの側壁には、前記収納溝に向かって挿入口が凹設され、前記２つの転動装置は、弾性部材及び転動体をそれぞれ有し、前記転動装置の前記弾性部材のそれぞれは、前記ベースに取り付けられ、前記側壁の前記挿入口へ延伸した枢着端を有し、前記弾性部材のそれぞれは、前記収納溝に向かって付勢し、前記転動装置の前記転動体は、前記枢着端に枢着され、前記側壁の前記挿入口に収納され、前記収納溝に向かってそれぞれ突出していることが好ましい。     
【００１２】
前記収納溝には、前記対向した２つの側壁が前記収納溝に対して垂直に設けられていることが好ましい。
【００１３】
前記２つの転動装置の前記弾性部材の少なくとも１つは撓性杆であることが好ましい。
【００１４】
前記２つの転動装置の前記弾性部材の少なくとも１つはスプリングであることが好ましい。
【００１５】
前記２つの転動装置の前記弾性部材の少なくとも１つは弾片であることが好ましい。
【００１６】
前記転動装置の前記転動体は、断面の形状が円形であることが好ましい。
【００１７】
前記転動装置の前記転動体は、断面の形状が弧形であることが好ましい。
【００１８】
前記２つの転動装置の前記転動体の少なくとも１つはローラであることが好ましい。
【００１９】
本発明の第２の形態によれば、互いに対応した２つの側面を有する電子装置を設置する電子装置搭載ベースであって、前記電子装置を設置する収納溝を有するベースと、前記収納溝の２つの側壁にそれぞれ設けられ、前記電子装置の側面に転がり接触する２つの転動装置と、制御用回路基板と、前記制御用回路基板と電気的に接続された電気コネクタと、を有する通信ユニットと、を備え、前記制御用回路基板は、前記ベースの内部に配置され、前記電気コネクタは、前記ベースに取り付けられ、前記収納溝から露出されていることを特徴とする電子装置搭載ベースが提供される。
【００２０】
また、前記収納溝の前記２つの側壁には、前記収納溝の方向に挿入口が凹設され、前記２つの転動装置は、弾性部材及び転動体をそれぞれ有し、前記転動装置の前記弾性部材のそれぞれは、前記ベースに取り付けられ、前記側壁の前記挿入口へ延伸した枢着端を有し、前記弾性部材のそれぞれは、前記収納溝に向かって付勢し、前記転動装置の前記転動体のそれぞれは、前記枢着端に枢着され、前記側壁それぞれの前記挿入口に収納され、前記収納溝に向かってそれぞれ突出していることが好ましい。
【００２１】
また、前記通信ユニットは、前記制御用回路基板と電気的に接続された少なくとも１つの電気スロットを有することが好ましい。
【００２２】
また、前記通信ユニットは、前記制御用回路基板と電気的に接続された少なくとも１つの支持ランプを有することが好ましい。
【発明の効果】
【００２３】
本発明の電子装置搭載ベースは、以下（１）〜（３）の効果を得ることができる。
（１）転動体の転動により、電子装置と点接触させることにより、電子装置とベースとの間の摩擦力を有効に減らし、電子装置の着脱をスムーズに行い、電子装置又はベースが損壊することを防ぐことができる。
（２）転動装置の弾性部材の弾性力を利用し、転動体により電子装置をしっかりと挟持し、収納溝の中に位置決めすることができる。
（３）通信ユニットと電子装置との間でデータ通信を行うことができる。
【図面の簡単な説明】
【００２４】
【図１】本発明の第１実施形態による電子装置搭載ベースを示す模式図である。
【図２】本発明の第１実施形態による電子装置搭載ベースを示す模式図である。
【図３】本発明の第２実施形態による電子装置搭載ベースを示す模式図である。
【図４】本発明の第２実施形態による電子装置搭載ベースを示す模式図である。
【図５】本発明の第３実施形態による電子装置搭載ベースを示す模式図である。
【図６】本発明の第３実施形態による電子装置搭載ベースを示す模式図である。
【図７】本発明の第４実施形態による電子装置搭載ベースを示す模式図である。
【図８】本発明の第５実施形態による電子装置搭載ベースを示す模式図である。
【図９】本発明の第５実施形態による電子装置搭載ベースを示す模式図である。
【発明を実施するための形態】
【００２５】
以下、本発明の実施形態について図に基づいて説明する。なお、これによって本発明が限定されるものではない。
【００２６】
図１〜図９を参照する。図１〜図９に示すように、本発明の一実施形態による電子装置搭載ベースは、互いに対応した２側面を有する電子装置４を設置するために用いる。電子装置搭載ベースは、ベース１及び２つの転動装置２を含む。ベース１は、電子装置４を設置するために用いる収納溝１１を有する。２つの転動装置２は、収納溝１１の２つの側壁１２にそれぞれ設けられ、電子装置４の側面に転がり接触する。ベース１には、収納溝１１が凹設され、２つの側壁１２を含む。２つの側壁１２のそれぞれは、収納溝１１の対向した２つの側部に設けられている。各側壁１２には、収納溝１１の方向に挿入口１２１がそれぞれ凹設されている。２つの転動装置２は、弾性部材２１及び転動体２２をそれぞれ含む。各転動装置２の弾性部材２１は、ベース１に取り付けられ、各側壁１２の挿入口１２１へ延伸した枢着端２１１を有する。各弾性部材２１のそれぞれは、収納溝１１の方向に付勢し、各転動装置２の転動体２２は、枢着端２１１に枢着され、各側壁１２の挿入口１２１に収納され、収納溝１１の方向にそれぞれ突出されている。
【００２７】
本発明の他の実施形態による電子装置搭載ベースは、互いに対応した２つの側面を有する電子装置４を設置するために用いる。電子装置搭載ベースは、ベース１、２つの転動装置２及び通信ユニット３を含む。ベース１は、電子装置４を設置するために用いる収納溝１１を有する。２つの転動装置２は、収納溝１１の２つの側壁１２にそれぞれ設けられ、電子装置４の側面で転がり接触する。通信ユニット３は、制御用回路基板３１及び電気コネクタ３２を有する。電気コネクタ３２は、ベース１の内部に配置された制御用回路基板３１と電気的に接続されている。電気コネクタ３２は、ベース１に取り付けられ、収納溝１１から露出されている。ベース１には、収納溝１１が凹設され、２つの側壁１２を含む。２つの側壁１２のそれぞれは、対向した収納溝１１の両側部に設けられている。各側壁１２には、収納溝１１の方向に挿入口１２１が凹設されている。２つの転動装置２は、弾性部材２１及び転動体２２をそれぞれ含む。各転動装置２の弾性部材２１は、ベース１に取り付けられ、各側壁１２の挿入口１２１へ延伸した枢着端２１１を有する。各弾性部材２１は、それぞれ収納溝１１の方向に付勢し、各転動装置２の転動体２２は、枢着端２１１に枢着され、各側壁１２の挿入口１２１に収納され、各転動体２２は、収納溝１１の方向に突出されている。通信ユニット３は、制御用回路基板３１と、制御用回路基板３１に電気的に接続された電気コネクタ３２と、を含む。制御用回路基板３１は、ベース１の内部に配置されている。電気コネクタ３２は、ベース１に組み立てられ、収納溝１１から露出されている。
【００２８】
ベース１の収納溝１１を凹設する方向は何ら制限されているわけではなく、上から下、左から右又は右から左の方向へ凹設してもよい。上から下にかけて凹設するときは、収納溝１１の左右（又は前後）の２つの側部へ２つの側壁１２をそれぞれ垂直に設けてもよい。左から右、又は右から左へ凹設するときは、２つの側壁１２を収納溝１１の上下２つの側部へ横切るように渡らせてもよい。
【００２９】
上述の転動装置２の弾性部材２１及び転動体２２は、様々な態様でもよい。例えば、弾性部材２１は、撓性杆、スプリング、弾片又はその他弾性を備えた構成要素でもよく、転動体２２は、断面が円形状又は弧形状であれば、ローラ、球体、円柱体などでもよい。以下、第１実施形態〜第５実施形態により、本発明を詳細に説明する。
【００３０】
（第１実施形態）
図１は、本発明の第１実施形態による電子装置搭載ベースを示す模式図である。図１に示すように、第１実施形態のベース１には、上から下にかけて収納溝１１が設けられている。電子装置４は、収納溝１１に対して図１の矢印方向で着脱することができる。
【００３１】
ベース１の収納溝１１には、対向する２つの側壁１２がそれぞれ垂直に設けられている。各側壁１２には、収納溝１１の方向に挿入口１２１がそれぞれ凹設されている。
【００３２】
図１に示すように、２つの転動装置２は、弾性部材２１及び転動体２２を含む。第１実施形態において、弾性部材２１は、撓性杆であり、転動体２２は、断面が円形状のローラである。
【００３３】
各転動装置２の弾性部材２１は、ベース１に組み立てられ、各側壁１２の挿入口１２１へ延伸した枢着端２１１を有する。各弾性部材は、収納溝１１の方向へそれぞれ付勢し（図１の矢印方向）、各転動装置２の転動体２２は、弾性部材２１の枢着端２１１に枢着され、各側壁１２の挿入口１２１に収納され、各転動体２２は、収納溝１１の方向へそれぞれ突出している。
【００３４】
図２を参照する。図２に示すように、電子装置４をベース１の収納溝１１に設置する際（又は、収納溝１１から電子装置４を取出す際）、電子装置４の保護ゴム４１が転動装置２の転動体２２と接触し、転動体２２の転動により、転動体２２と電子装置４の保護ゴム４１とが点接触する。これにより、電子装置４とベース１との間の摩擦力を有効に低減しながら、電子装置４の着脱をスムーズに行い、電子装置４又はベース１が損壊することを防ぐことができる。
【００３５】
図２に示すように、ベース１の収納溝１１に電子装置４を設置するとき、転動装置２の弾性部材２１の付勢を利用し、弾性部材２１に枢着された転動体２２により電子装置４をしっかりと挟持し、収納溝１１の中で電子装置４が動かないように位置決めすることができる。
【００３６】
（第２実施形態）
図３及び図４を参照する。図３及び図４は、本発明の第２実施形態による電子装置搭載ベースを示す模式図である。図３及び図４に示すように、第２実施形態による電子装置搭載ベースは、第１実施形態による電子装置搭載ベースと構造が略等しいが、弾性部材２１がスプリングからなる点だけが異なり、得られる効果は同じである。
【００３７】
（第３実施形態）
図５及び図６を参照する。図５及び図６は、本発明の第３実施形態による電子装置搭載ベースを示す模式図である。図５及び図６に示すように、第３実施形態による電子装置搭載ベースは、第１実施形態による電子装置搭載ベースと構造が略等しいが、弾性部材２１が弾片からなる点だけが異なり、得られる効果は同じである。
【００３８】
（第４実施形態）
図７を参照する。図７は、本発明の第４実施形態による電子装置搭載ベースを示す模式図である。図７に示すように、第４実施形態による電子装置搭載ベースは、第１実施形態による電子装置搭載ベースと構造が略等しいが、転動体２２が弧形状の断面を有するローラからなる点だけが異なる。第４実施形態は、収納溝１１に対して電子装置４の着脱を行う深さに応じ、ローラのサイズを調整することができる。これにより、材料を節減することができる。
【００３９】
（第５実施形態）
図８及び図９を参照する。図８及び図９は、本発明の第５実施形態による電子装置搭載ベースを示す模式図である。図８及び図９に示すように、第５実施形態による電子装置搭載ベースは、ベース１、２つの転動装置２及び通信ユニット３を含む。第５実施形態のベース１及び２つの転動装置２の構造は、第１実施形態と同じである。通信ユニット３は、制御用回路基板３１と、制御用回路基板３１と電気的に接続された電気コネクタ３２と、を含む。制御用回路基板３１は、ベース１の内部に配置されている。電気コネクタ３２は、ベース１に配置され、収納溝１１から露出されている。
【００４０】
上述の構造により、ベース１の収納溝１１に電子装置４を設置すると、電気コネクタ３２に電子装置４が接続され、データ通信を行うことができる。
【００４１】
第５実施形態において、通信ユニット３は、制御用回路基板３１とそれぞれ電気的に接続された電気スロット３３及び指示ランプ３４を含む。指示ランプ３４は、ベース１が動作中であるか否かを判断するために用いる。電気スロット３３は、拡張用スロット（例えば、メモリカードのスロットなど）でもよい。電気スロット３３及び指示ランプ３４の数は、必要に応じて変えてもよい。
【００４２】
ベース１は、電力を供給するために、内蔵電池（図示せず）又は外付け電源（図示せず）を有する。ベース１の収納溝１１に、電子装置４を設置すると、電気コネクタ３２と接続されて電子装置４の充電を行うことができる。
【００４３】
当該分野の技術を熟知するものが理解できるように、本発明の好適な実施形態を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【符号の説明】
【００４４】
１  ベース
２  転動装置
３  通信ユニット
４  電子装置
１１  収納溝
１２  側壁
２１  弾性部材
２２  転動体
３１  制御用回路基板
３２  電気コネクタ
３３  電気スロット
３４  指示ランプ
４１  保護ゴム
１２１  挿入口
２１１  枢着端
【図１】
2011129853.tif 000003
【図２】
2011129853.tif 000004
【図３】
2011129853.tif 000005
【図４】
2011129853.tif 000006
【図５】
2011129853.tif 000007
【図６】
2011129853.tif 000008
【図７】
2011129853.tif 000009
【図８】
2011129853.tif 000010
【図９】
2011129853.tif 000011